(57)【要約】      （修正有）【課題】膜の剥がれを確実に防ぎ、通気性を備え重量を軽減し、装着全体の密着性と安定性をさらに強化し快適性を高めるシリコンブラジャーを提供する。【解決手段】左右対称の二つのシリコンカップ１ａ、１ｂと連接部材２とを含み、シリコンカップ１ａ、１ｂは、選定したシリコンを直接インモールド成型し、カップ内側面の一部又は全表面に繰り返し粘着剥離可能な粘着剤層１１をコーティングし、成型時に延伸部１２を予め設け、連接部材２の環状孔２１１、２２１に挿入し、逆に折り返してカップ本体に粘着固定させる。また、シリコンカップに通気孔を設け、シリコン材料中に発泡剤を加えてシリコン発泡材質を形成することも可能である。よって、膜剥がれが起きることなく、通気機能を兼ね備えたものとなり、シリコンの比重を低下させカップの重量を軽減し、装着快適性を高め、重量軽減によりカップと乳房の密着固定性を高める。【選択図】図１
0003175690.tif 000002
【実用新案登録請求の範囲】
【請求項１】
選定したシリコンを直接インモールド成型し、カップ内側面の一部或いは全表面に繰り返し粘着剥離可能な粘着剤層をコーティングする左右対称の二つのシリコンカップと、
シリコンカップの相対位置の一端にそれぞれを結合し、互いを嵌合させる連接部材と、を備え、
前記連接部材を用いて二つのシリコンカップを連結して組み合わせることを特徴とするシリコンブラジャー。
【請求項２】
前記連接部材は分離ホックであり、二つの分離し係合するホックを含み、それぞれをシリコンカップの相対位置の一端に結合することを特徴とする請求項１に記載のシリコンブラジャー。
【請求項３】
前記シリコンカップを成型する時には予め一定の延伸部を設け、該延伸部は連接部材の環状孔に挿入し、逆に折り返してカップ本体に粘着固定させることを特徴とする請求項１に記載のシリコンブラジャー。
【請求項４】
前記シリコンカップには複数個の通気孔を設けることを特徴とする請求項１に記載のシリコンブラジャー。
【請求項５】
前記シリコンブラジャーのシリコン材料中には予め発泡剤を加え、多数の小気泡を備えたシリコン発泡材質を用いてシリコンカップを形成することを特徴とする請求項１に記載のシリコンブラジャー。
【請求項６】
前記シリコンカップの外表面には模様をプレスして模様を装飾することを特徴とする請求項１に記載のシリコンブラジャー。
【請求項７】
前記シリコンカップの外表面は霧状面であることを特徴とする請求項１に記載のシリコンブラジャー。
【請求項８】
前記シリコンカップの外表面は光沢面であることを特徴とする請求項１に記載のシリコンブラジャー。
【請求項９】
前記シリコンカップは成型前シリコンカップの内側面に予め薄膜を配置し、薄膜と成型前シリコンカップを一緒に直接インモールド成型し、インモールド成型後の薄膜はシリコンカップの内側面に一体結合され、さらに薄膜の一部又は全表面には繰り返し粘着剥離可能な粘着剤層をコーティングすることを特徴とする請求項１に記載のシリコンブラジャー。
【請求項１０】
前記薄膜の材質は熱可塑性薄膜材料より選択することを特徴とする請求項９に記載のシリコンブラジャー。
【請求項１１】
前記シリコンカップは成型前シリコンカップの内側面に予め弾性繊維生地を配置し、弾性繊維生地と成型前シリコンカップを一緒に直接インモールド成型し、インモールド成型後の弾性繊維生地はシリコンカップの内側面に一体結合され、さらに弾性繊維生地の一部或いは全表面には繰り返し粘着剥離可能な粘着剤層をコーティングすることを特徴とする請求項１に記載のシリコンブラジャー。
【請求項１２】
インモールド成型後の前記シリコンカップには、その内側面に塗布或いはスプレー方式で一層の表面処理剤を被覆してカップ内側面に表面膜を形成し、該表面膜の一部又は全表面には繰り返し粘着剥離可能な粘着剤層をコーティングすることを特徴とする請求項１に記載のシリコンブラジャー。
【請求項１３】
前記シリコンカップは、カップの内側面に高周波、超音波、熱プレス方式を用いて延伸部を結合することを特徴とする請求項９に記載のシリコンブラジャー。
【請求項１４】
前記延伸部の材質は熱可塑性薄膜材料であることを特徴とする請求項１３に記載のシリコンブラジャー。
【請求項１５】
前記延伸部の材質は弾性繊維生地であることを特徴とする請求項１３に記載のシリコンブラジャー。
【考案の詳細な説明】
【技術分野】
【０００１】
本考案は、特に、薄膜を包み込みパッケージする必要のないシリコンブラジャーの設計に関し、膜の剥がれを確実に防ぎ、通気性を備え重量を軽減し、装着全体の密着性と安定性をさらに強化し快適性を高める等の多くの長所を備えたシリコンブラジャーに関する。
【背景技術】
【０００２】
公知ブラジャーには、従来の布のブラジャーの他、特許文献１に示した「Attachable  breast  form  enhancement  system」に見られる、熱可塑性薄膜材料を用いて定量のシリコンを全てパッケージして構成するシークレットタイプのブラジャーがある。該ブラジャーは乳房フォームと、内表面部と、外側部と、内側部と、連接部材とを含む。一対の乳房フォームは、各乳房フォームに定量のシリコンを含み、定量のシリコンは全て熱可塑性薄膜材料内にパッケージされる。前記内表面部は、使用者の胸部に向き、その内、内表面部の大部分の面積には圧力に敏感な粘着層を含み、使用者の胸部上に乳房フォームを固定させるのに用いる。前記外側部は、使用者の脇の下に向き、前記内側部は、外側部と逆の方向を向き、その内、各乳房フォームは単独で、圧力に敏感な粘着層によって使用者の胸部に固定される。また、乳房フォームを連接するのに適当な連接部材の両端は、それぞれ、各乳房フォームの内側に連接する。
【先行技術文献】
【特許文献】
【０００３】
【特許文献１】米国登録実用新案第6,758,720号明細書
【考案の概要】
【考案が解決しようとする課題】
【０００４】
特許文献１は主に、熱可塑性薄膜材料を用いて定量のシリコンを包み込みパッケージしたものであるが、薄膜とシリコンが異なる材質であるため、一定期間使用すると、パッケージの薄膜とシリコンに材質変異が起き、二種類の材質が互いに牽引し合い力を受け、一定期間使用した後は、膜が剥がれ易くなり、薄膜とシリコンが分離し位置がずれる問題を引き起こして損傷し、使用不可能となる。よって、熱可塑性薄膜材料を用いたパッケージ技術にも解決できない欠点が存在する。
【０００５】
また、前記特許文献１では、熱可塑性薄膜材料によって定量のシリコンを密閉パッケージし、乳房フォームの定型目的を達成する。よって、乳房フォームは根本的に通気機能を備えていないため、密閉される表面全体には通気性がなく、熱気の放熱問題を解決できず、長時間装着していると乳房の皮膚によくないことは明らかである。また、シリコン材質の比重が重く、装着時には重量による下垂感があり、乳房との接触における安定性が低下し、使用者の移動が早かったり上下の飛び跳ねによって、乳房フォームが乳房との間にずれを起こしたりはずれ易くなり、使用者の不快感を引き起こすため、美しい中にも不足感があると言える。
そこで、本考案が解決しようとする課題は、膜の剥がれを確実に防ぎ、通気性を備え重量を軽減し、装着全体の密着性と安定性をさらに強化し快適性を高めるシリコンブラジャーを提供することである。
【課題を解決するための手段】
【０００６】
上記課題を解決するために、本考案は、左右対称の二つのシリコンカップ及び連接部材によって構成され、前記シリコンカップは、選定したシリコンを直接インモールド成型し、カップ内側面の一部或いは全表面に繰り返し粘着剥離可能な粘着剤層をコーティングし、二つのシリコンカップの間には連接部材を設置することにより、シリコンブラジャーを形成し、熱可塑性薄膜をパッケージ材料として使用するのをやめてシリコンカップを単一の材質とするため、製造工程を簡素化し、迅速成型効果を備え、異種材料間における膜の剥がれを絶対に生じさせることはないシリコンブラジャーを提供する。
【０００７】
また、本考案は、前記の左、右シリコンカップには成型時に一定の大きさの延伸部を予め設け、連接部材の環状孔に挿入させ、さらに逆折りしてカップ本体に粘着固定することにより、連接部材は迅速且つ安定状態でカップ本体に結合するシリコンブラジャーを提供する。
【０００８】
また、本考案は、前記の左、右シリコンカップには複数個の通気孔をあけ、放熱させる通気機能を提供するため、乳房の皮膚が長時間、密閉されて通気性のない状態に置かれて悪い影響を受けるのを防ぐことができるシリコンブラジャーを提供する。
【０００９】
また、本考案は、前記の左、右シリコンカップのシリコン材料中に、シリコンの比重を低減させカップの重量を軽減させるために予め適量の発泡剤を加え、質量が軽いという特徴を備える故に、装着した全体の荷重感が明らかに消失し装着時の快適性が得られるとともに、重量の軽減によりカップと乳房との接触における密着した安定性を高めることができ、使用者が迅速に動いたり上下に飛び跳ねても、ずれたり外れてしまう等の状況を発生させないシリコンブラジャーを提供する。
【００１０】
また、本考案は、前記の左、右シリコンカップにシリコンを直接インモールド成型する方法を採用することにより、カップの外表面に直接模様をプレスして模様を装飾する等の変化を加えられ、全体の美観を高めることができるシリコンブラジャーを提供する。
【００１１】
また、本考案は、前記の左、右シリコンカップにおいて、カップ内側面と粘着剤層との間に薄膜を加えてもよく、シリコンカップをインモールド成型後、同時にカップの内側面に一層の薄膜を一体結合し、さらに薄膜の一部或いは全表面に繰り返し粘着剥離可能な粘着剤層をコーティングするシリコンブラジャーを提供する。
【００１２】
また、本考案は、前記の左、右シリコンカップの内、前述したカップの内側面に一体結合する薄膜の材質は、熱可塑性薄膜材料或いは弾性繊維生地を選択し、薄膜をインモールド成型に合わせて加圧加熱し、カップ内側面の曲面に一体成型によって結合するシリコンブラジャーを提供する。
【００１３】
また、本考案は、前記の左、右シリコンカップの内側面に熱可塑性薄膜材料或いは弾性繊維生地を一体結合した後、高周波、超音波、熱プレス方式の何れかを用いて延伸部を結合し、適当な厚み或いは好ましい強度を備える延伸部には、好ましい抗張力を生じさせるためのホック或いは何れかの連接部材を結合することも可能であるシリコンブラジャーを提供する。
【００１４】
さらに、本考案は、前記の左、右シリコンカップをインモールド成型後に、カップの内側面に塗布或いはスプレー方式によって表面処理剤を被覆してカップの内側面に表面膜を形成し、その後、表面膜の一部或いは全表面に繰り返し粘着剥離可能な粘着剤層をコーティングするシリコンブラジャーを提供する。
【考案の効果】
【００１５】
本考案のシリコンブラジャーは、膜の剥がれを確実に防ぎ、通気性を備え重量を軽減し、装着全体の密着性と安定性をさらに強化して快適性を高めるという効果を奏する。
【図面の簡単な説明】
【００１６】
【図１】本考案の分解立体図である。
【図２】本考案の組立立体図である。
【図３】本考案のカップの断面図である。
【図４】本考案の使用状態図である。
【図５】本考案のカップに通気孔をあけた実施例の説明図である。
【図６】本考案のカップに通気孔をあけたもう一つの実施例の説明図である。
【図７】本考案のシリコン発泡材質により成型されたカップの断面図である。
【図８】本考案のカップ外表面を霧面とした実施例の説明図である。
【図９】本考案のカップ外表面を光沢面とした実施例の説明図である。
【図１０】本考案のもう一つの実施例における成型前の状態を示す説明図である。
【図１１】図１０実施例のシリコンカップを組み合わせた状態を示す断面図である。
【図１２】本考案のさらにもう一つの実施例における成型前の状態を示す説明図である。
【図１３】図１２実施例のシリコンカップを組み合わせた状態を示す断面図である。
【考案を実施するための形態】
【００１７】
図１乃至図３に示すとおり、本考案の「シリコンブラジャー」は、左右対称の二つのシリコンカップ1a、1b及び連接部材2によって構成される。
【００１８】
その内、前記シリコンカップ1a、1bは選定したシリコンを直接インモールド成型し、カップ内側面の一部或いは全表面に繰り返し粘着剥離可能な粘着剤層をコーティングする。
【００１９】
前記連接部材2は、分離ホック(実施例図参照)或いは一体化して繋がる連接ホックとする(図示せず)。同図に示すとおり、分離ホックの実施には、分離して係合する二つのホック21、22を含み、それぞれをシリコンカップ1a、1bの対称位置にある一端に連結し、ホックをとめて相互を結合するか(図２参照)、或いはさらに二つの分離するホック21、22に適当な調整を加えて異なるきつさを設定することができる。
【００２０】
前記シリコンカップ1a、1bと連接部材2により構成されたシリコンブラジャーは、熱可塑性薄膜をシリコンのパッケージ材料として使用せず、二つのシリコンカップ1a、1bはいずれも単一材質であるため、製造工程が簡素化できるだけでなく、迅速成型効果を備え、異種材料間における膜の剥がれが全くなく、図４に示すとおり、装着使用する場合には豊満な胸部形状を作り出すことができる。
【００２１】
実施例に示すとおり、上述したシリコンカップ1a、1bは、成型時に一定の延伸部12を予め設け(図１参照)、延伸部12を連接部材の環状孔に挿入し（図中では分離ホック21、22の環状孔211、221）、さらに逆に折り曲げてカップ本体に粘着固定する(図２参照)。これにより、簡単迅速にシリコンカップ1a、1bと連接部材2による安定した結合が完成する。
【００２２】
図５或いは図６にはもう一つの実施例を示す。本考案の左、右シリコンカップ1a、1bにはさらに複数個の通気孔13を設ける（カップに粘着剤層11をコーティング後に穴をあける）。通気孔13は、図５の実施形態の如く乳頭或いはその近くに分布させるか、図６の実施形態の如くシリコンカップ1a、1bに均等に分布させる。これにより、熱気を排出させる通気機能が備えられ、乳房の皮膚が長時間密封された通気性のない状態において影響を受けるのを防ぐことができる。
【００２３】
図７に示したもう一つの実施例において、本考案の左、右シリコンカップ1a、1bにはさらに、シリコン材料中に適量の発泡剤を予め加えて多数の小気泡を備えたシリコン発泡材質14を形成し、シリコン発泡材質14が構成する左、右シリコンカップ1a、1bによって、シリコンの比重を低減しカップの重量を軽減する。これにより、質量が軽いという特徴が備わり、ブラジャーはさらに軽く、装着した全体の荷重感を明らかに消失させるため、装着時の快適性が得られ、それとともに重量の軽減によりカップと乳房との接触における密着した安定性を高めることができ、使用者が迅速な動きをしたり上下に飛び跳ねても、ずれたり外れてしまうことがない。
【００２４】
さらに、本考案の左、右シリコンカップ1a、1bはシリコン（或いはシリコン発泡剤）を直接インモールド成型する方法を採用し、これにより、シリコンカップ1a、1bの外表面に直接模様をプレスしたり模様を装飾する等の変化を加えられ、全体の美観を高めることができる。また、図８にはカップの外表面に霧状の模様を加えた実施例を示し、図９にはカップの外表面に光沢面を設けた実施例を示したが、その他の模様をプレスしたり模様を装飾する等も可能である。
【００２５】
本考案において採用したシリコン或いは繰り返し粘着剥離可能な粘着剤層11は何れも無毒無害のシリコン或いは粘着剤材質を用いているため、皮膚に接触する場合の安全性を十分に確保する。前記材質は公知材質に属する故、ここでは説明を省く。
【００２６】
図１０及び図１１に示したもう一つの実施例は、成型前シリコンカップ1c’、1d’の内側面に薄膜15を予め配置し、薄膜15と成型前シリコンカップ1c’、1d’を一緒にインモールド成型し、インモールド成型を経た後、シリコンカップ1c、1d(図１０参照)の内側面に一層の薄膜15を一体結合し、並びに、薄膜15の一部或いは全表面に繰り返し粘着剥離可能な粘着剤層11をコーティングする。
【００２７】
前記薄膜15の材質は、熱可塑性薄膜材料或いはそれに類似するその他の薄膜材料を選択する。図１０には成型前の状態図を示す。図中の成型前シリコンカップ1c’、1d’は単に成型前の形状を示した図であり、実際において、前記薄膜15と成型前シリコンカップ1c’、1d’は、インモールド成型の加圧加熱を経て一体結合される。モールド内で一次成型すると、カップ内側面の曲面と一体成型されて結合し、図１１のシリコンカップ1c或いは1dの如き具体的な形状ができあがる。
【００２８】
図１２と図１３に示したもう一つの実施例は、成型前シリコンカップ1e’、1f’の内側面に弾性繊維生地16を予め配置し、弾性繊維生地16と成型前シリコンカップ1e’、1f’を一緒にインモールド成型し、インモールド成型を経た後、シリコンカップ1 e、1f(図１３参照)の内側面に一層の弾性繊維生地16を一体結合することも可能であり、さらに、弾性繊維生地16の一部或いは全表面に繰り返し粘着剥離可能な粘着剤層11をコーティングする。
【００２９】
同様に、図１２には成型前の状態図を示す。図中の成型前シリコンカップ1e’、1f’は成型前の形状を示した図であり、実際において、前記弾性繊維生地16と成型前シリコンカップ1e’、1f’は、インモールド成型の加圧加熱を経て一体結合される。モールド内で一次成型すると、カップ内側面の曲面と一体成型されて結合し、図１３のシリコンカップ1e或いは1fの如き具体的な形状ができあがる。
【００３０】
同理論によって理解される通り、本考案のシリコンカップは、インモールド成型の後、シリコンカップの内側面において塗布或いはスプレー方式で一層の表面処理剤を被覆することも可能であり、これによって、カップ内側面には表面膜(図示せず)が形成され、その後、表面膜の一部或いは全表面に繰り返し粘着剥離可能な粘着剤層をコーティングする。該表面膜の作用は、上述した熱可塑性薄膜15或いは弾性繊維生地16と同様である。
【００３１】
図１０または図１２の実施例に示すとおり、前記シリコンカップ1c、1d或いは1e、1fは、カップ内側面において高周波、超音波、熱プレス方式の何れかを用いて熱可塑性薄膜材料または弾性繊維生地、或いはその他の適当な材質の延伸部120を結合し、該延伸部120は適当な厚み或いは好ましい強度を備えたものであるため、ホック21、22或いは何れかの連接部材を結合すると延伸部120に好ましい抗張力を備えさせることができる。
【００３２】
同理論によって理解されるように、図１０乃至図１４の実施例に示した通り、シリコンカップには複数個の通気孔をあけ、熱気の排出を行う通気機能を備えさせることも可能である。また、シリコンカップはシリコン材料中に予め適量の発泡剤を加えて、シリコンの比重を下げてカップの重量を軽減する目的を実現することも可能であり、シリコンカップのインモールド成型によって、カップの外表面に模様をプレスしたりその他の模様を装飾する等の変化を加えることも可能である。
【符号の説明】
【００３３】
1a、1b：シリコンカップ
2：連接部材
11：粘着剤層
21、22：ホック
12：延伸部
211、221：環状孔
13：通気孔
14：シリコン発泡材質
1c’、1d’：成型前シリコンカップ
15：薄膜
1c、1d：シリコンカップ
1e’、1f’：成型前シリコンカップ
16：弾性繊維生地
1e、1f：シリコンカップ
120：延伸部
【図１】
0003175690.tif 000003
【図２】
0003175690.tif 000004
【図３】
0003175690.tif 000005
【図４】
0003175690.tif 000006
【図５】
0003175690.tif 000007
【図６】
0003175690.tif 000008
【図７】
0003175690.tif 000009
【図８】
0003175690.tif 000010
【図９】
0003175690.tif 000011
【図１０】
0003175690.tif 000012
【図１１】
0003175690.tif 000013
【図１２】
0003175690.tif 000014
【図１３】
0003175690.tif 000015